(57)【特許請求の範囲】
【請求項１】
扉側ピボットヒンジと枠側ピボットヒンジからなり、扉側ピボットヒンジに建付け調整機構を備えた構成で、扉側ピボットヒンジが３個のブロックに区切って形成され、各々のブロックにて前後調整ねじによる前後調整機構と左右調整ねじによる左右調整機構を有したピボットヒンジであって、扉側ベース部材の上部区画に前後調整ねじ挿入孔を備えた２個の平行な面からなる外コの字部分が設けられ、前後移動ケースの上部区画に雌ねじ部を有した面が設けられ、外コの字部分内に雌ねじ部を有した面を挿入した状態で、扉側ベース部材に対して前後移動ケースが前後方向にのみ移動するように複数のガイド部を形成して両者が組み付けられ、前後調整ねじが雌ねじ部に螺合され、かつ頭部が正面向になる配置で外コの字部分に空転するように装着されることで、前後調整ねじの回転操作により扉側ベース部材に対して前後移動ケースが前後方向に移動調整可能となり、さらに扉側羽根の手前側に軸心挿入部が設けられ、前後移動ケースの中央区画に左右調整ねじ挿入孔を備えた２個の平行な面からなる外コの字部分が設けられ、下部区画に扉側羽根が左右方向にのみに規制されて移動するための複数のガイド部が形成され、連動部材には傾斜係合突起と雌ねじ部が設けられ、連動部材の傾斜係合突起が扉側羽根の傾斜長孔に係合された状態で、連動部材が前後移動ケースの中央区画の外コの字部分内に、かつ扉側羽根が扉側ベース部材の下部区画に装着され、左右調整ねじが連動部材の雌ねじ部に螺合され、かつ頭部が正面向きになる配置で前後移動ケースの外コの字部分に空転するように装着されることで、左右調整ねじの回転操作による連動部材の前後移動と扉側羽根の左右移動からなる方向変換機構が設けられたことを特徴とする建付け調整機構付きピボットヒンジ。
【請求項２】
前記方向変換機構が、連動部材の傾斜係合突起が複数箇所設けられかつ極力距離を離して形成され、扉側羽根の傾斜長孔も同様に同数距離を離して形成され、両者は所定動作範囲においては分離することが無いように嵌め合わされ、左右調整ねじの回転操作による連動部材の前後移動により、連動部材の複数箇所の傾斜係合突起が扉側羽根の複数箇所の傾斜長孔を同時に押し引きすることで、扉側羽根の左右方向への平行移動動作が得られることを特徴とする請求項１に記載の建付け調整機構付きピボットヒンジ。
【請求項３】
前記方向変換機構が、前後移動ケースの下部区画に支点が設けられ、支点に対して扉側羽根が前後移動ケース内で左右方向にスイング動作可能なように構成され、扉側羽根の前記支点から一定距離離れた位置に係合突起部が形成され、左右調整ねじに螺合された連動部材の傾斜長孔が扉側羽根の係合突起部に嵌め合わされ、左右調整ねじの回転操作による連動部材の前後移動により扉側羽根の支点に対してのスイング動作が得られ、扉側羽根の軸心挿入部が左右方向に移動する構成であることを特徴とする請求項１に記載の建付け調整機構付きピボットヒンジ。
【請求項４】
前記前後調整ねじと左右調整ねじを含む左右調整機構と前後調整機構を有した扉側ベース部材と前後移動ケースと連動部材と扉側羽根の奥部分が扉の厚み方向を掘り込んだ状態で内蔵されて配置され、扉の正面外部には扉側羽根の軸心挿入部のみが露出するように構成されたことを特徴とする請求項１に記載の建付け調整機構付きピボットヒンジ。
【請求項５】
扉側ピボットヒンジと枠側ピボットヒンジからなり、扉側ピボットヒンジに建付け調整機構を備えた構成で、扉側ピボットヒンジが３個のブロックに区切って形成され、各々のブロックにて前後調整ねじによる前後調整機構と左右調整ねじによる左右調整機構を有したピボットヒンジであって、扉側ベース部材の戸先側区画に左右調整ねじ挿入孔を備えた２個の平行な面からなる外コの字部分が設けられ、連動部材は傾斜係合突起と雌ねじ部を備えており、左右移動ケースの戸先側区画に傾斜長孔が設けられ、扉側ベース部材に対して左右移動ケースが左右方向にのみ移動するように複数のガイド部が形成され、左右移動ケースの傾斜長孔に連動部材の傾斜係合突起が係合した状態で扉側ベース部材が挿入され、左右調整ねじが連動部材の雌ねじ部に螺合され、かつ頭部が正面向きになる配置で扉側ベース部材の外コの字部分に空転するように装着され、左右調整ねじの回転操作により左右移動ケースが扉側ベース部材のガイド部に沿って左右方向に平行に移動する方向変換機構が設けられ、さらに左右移動ケースの中央区画に前後調整ねじ挿入孔を備えた２個の平行な面からなる外コの字部分が設けられ、扉側プレートの中央区画に雌ねじ部が設けられ、扉側プレートの吊元側区画の手前側に軸心挿入部が設けられ、左右移動ケースの外コの字部分内に扉側プレートの雌ねじ部が挿入され、左右移動ケース対して扉側プレートが前後方向にのみ移動するように複数のガイド部が形成された状態で両者が組み付けられ、前後調整ねじが扉側プレートの雌ねじ部に螺合され、かつ頭部が正面向になる配置で左右移動ケースの外コの字部分に空転するように装着され、前後調整ねじの回転操作により扉側プレートが前後方向に移動調整可能に構成されたことを特徴とする建付け調整機構付きピボットヒンジ。
【請求項６】
前記方向変換機構が、連動部材の傾斜係合突起が複数箇所設けられかつ極力距離を離して形成され、左右移動ケースの傾斜長孔も同様に同数距離を離して形成され、両者を所定動作範囲においては分離することが無いように嵌め合わされ、左右調整ねじの回転操作による連動部材の前後移動により、連動部材の複数箇所の傾斜係合突起が左右移動ケースの複数箇所の傾斜長孔を同時に押し引きすることで、左右移動ケースの左右方向への平行移動動作が得られることを特徴とする請求項５に記載の建付け調整機構付きピボットヒンジ。
【請求項７】
前記前後調整ねじと左右調整ねじを含む左右調整機構と前後調整機構を有した扉側ベース部材と左右移動ケースと連動部材と扉側プレートの奥部分が扉の厚み方向を掘り込んだ状態で内蔵されて配置され、扉の正面外部には扉側プレートの軸心挿入部のみが露出するように構成されたことを特徴とする請求項５に記載の建付け調整機構付きピボットヒンジ。
【発明の詳細な説明】
【技術分野】
【０００１】
本発明は建付け調整機構を有するピボットヒンジに関するものである。
【背景技術】
【０００２】
従来から建具等の枠体に扉を装着する保持金具としては、軸心を中心に回転して開閉する扉の場合では丁番やピボットヒンジが一般的である。そして同時にこれらには装着後の枠体に対する扉の位置を適正な位置に建付け調整する機構をも組み込まれている場合が多く、建付け調整の方向は通常枠体に対して前後左右上下の３方向が通常である。ここで丁番においては、特開２００２−２５０１７０号公報に報告されているような、丁番の羽根を支点に対して左右にスイング動作させることで左右調整を実施可能とし、偏芯カムを回転させる動作にて同時にその羽根を前後移動させる前後調整機構を併せて有しているものが多い。またこの機構をピボットヒンジとして採用し、枠側ピボットヒンジは枠側プレートの水平面から軸心が起立した状態の通常のピボットヒンジの形態で、扉側ピボットヒンジにこの丁番で用いられている前後左右の建付け調整機構を採用している構成のものもある。
【０００３】
また特開２００３−２３９６０９号公報に報告されているような枠側ピボットヒンジに建付け調整機構を配置しているものも多く、枠側ピボットヒンジと扉側ピボットヒンジに前後と左右の調整を分散させて建付け調整機構を配置しているものもある。また上下調整に関しては、持ち出された位置の軸心と軸心挿入部に上下調整ねじを配置して、上下調整ねじを回す操作により扉を持ち上げて実施する構成が大多数である。しかしこれらの構成において共通する未改良点としては、前後左右の建付け調整機構は扉と枠体の厚み方向面に配置されており、左右と前後の調整操作においては必ず扉を９０度近くまで開放した状態で実施しなければならない点が挙げられる。
【０００４】
ここで建付け調整は枠体に対しての扉の位置を最も適正な状態にするためであり、作業としては扉を完全に閉じた状態で枠体と扉の縦横の隙間や上下の隙間を目視または測定治具等で確認することになる。ところが上記構成では扉を開けた状態で建付け調整作業を実施しなければならないことになり、まず扉を閉じた状態で調整必要な箇所を確認し、その後開放した状態で調整作業を行い、また扉を閉じて目的とした調整結果が得られたかの確認を行わなければならない。そしてまだ最適位置になっていない場合は最適位置に配置できるまで再度この作業を繰り返す必要がある。したがって扉を開けたり閉めたりしながら調整作業を実施することになり、手間が掛かることが想定される。
【０００５】
そこで扉を閉じたままで前後左右上下の建付け調整が実施できる構成の方が優れており、既に特開２００７−２３１５２１号公報や特開２００１−３２３７１４号公報や特開２００８−１２１３４２号公報等に閉鎖状態で建付け調整できるものが報告されている。これらの特徴としては、扉面の上下端部の手前位置に枠側から持ち出された水平方向のプレート面を配置して、そのプレート面状に乗ったような状態で前後左右に移動する構成の調整部材を配置して軸心の位置を移動させる手段のものが多い。この調整の手段としてはほとんどのものが調整ねじを用いており、固定された部材に対して調整ねじにて移動部材を動作させ、移動部材に軸心若しくは軸心挿入部を設けておいて建付け調整を実施する構成が多い。
【０００６】
しかしこれらの調整機構は扉側プレート若しくは枠側プレートの、扉の正面からさらに持ち出された手前側位置での水平面部分で動作させる構成であり、同じ平面上にて前後と左右の移動調整を実施しようとするために比較的広いスペースが必要になり、コンパクト性において問題が残っている。特に左右調整においては扉正面から持ち出された位置で複数の部材を組み合わせ、かつ調整ねじ等をも用いて軸心を移動させなければならないため、プレート面の横方向の幅がどうしても一定以上必要となり、同時に厚み方向も当然必要であるため、その結果全体として直方体形状の箱型に近い外観になりがちである。
【０００７】
ここで、ピボットヒンジの場合は丁番とは違って扉の上下端に配置されるため、このような箱型形状であってもデザイン面としては比較的許容されやすいことが挙げられる。しかし前述の調整丁番は、扉面から持ち出されている部分の外観が丁番の管巻き部分のみの太さで上下方向に長い形状であるため、やはりデザイン性においては優位であると判断できる。したがってよりデザイン性が重視される室内ドア用のピボットヒンジにおいては、ドアの吊元側上下位置の手前側に大きく箱型にて突出するような形状のピボットヒンジは使用しにくいと想定される。
【０００８】
さらに、調整ねじ等の操作部材の操作面の位置と方向が重要であり、特開２００７−２３１５２１号公報に示されているように、前後調整に関しては調整ねじの頭部が正面向きになり操作性はよいのであるが、左右調整においては通常調整ねじの頭部は側面に配置されることになり、この位置が扉面に接近してしまうとドライバー等の握り手が扉面に接して操作しにくいことが想定される。したがって操作面は正面向きのほうがよいと考えられる。また扉面からの持ち出し寸法を大きめに設定して左右調整操作位置も手前に持ち出せば操作性という観点においては解決するのであるが、ピボットヒンジの形態ではプレートの面で扉の荷重を受けるため、軸心位置を持ち出す距離が大きくなるほど強度面において弱くなるという問題も発生してしまう。
【特許文献１】特開２００２−２５０１７０号公報
【特許文献２】特開２００３−２３９６０９号公報
【特許文献３】特開２００７−２３１５２１号公報
【特許文献４】特開２００１−３２３７１４号公報
【特許文献５】特開２００８−１２１３４２号公報
【発明の開示】
【発明が解決しようとする課題】
【０００９】
本発明は上記問題点を解決するためになされたものであり、扉面から持ち出されている部分の外観が細長いデザイン性を損なわない形状を維持し、持ち出しの距離も少なく、かつ前後方向と左右方向の調整操作を扉が閉鎖した状態で正面位置から実施可能な建付け調整機構付きピボットヒンジを提案することを目的とする。
【課題を解決するための手段】
【００１０】
本発明では上記問題点を解決するために次の技術手段を設けた。まず本発明の建付け調整機構付きピボットヒンジは枠体と扉とからなるドアの上部と下部に装着され、各々扉側ピボットヒンジと枠側ピボットヒンジとから構成される。そして前後方向と左右方向の建付け調整機構は上部ピボットヒンジと下部ピボットヒンジ共に同様で、どちらも扉側ピボットヒンジに配置され、上下ピボットヒンジでの差異は吊り込み機構に関してのみである。また軸心の配置は枠側ピボットヒンジと扉側ピボットヒンジのどちらであってよく、他方に軸心挿入孔を配置しておくとよい。施工手順としては枠側ピボットヒンジと扉側ピボットヒンジをあらかじめ扉と枠体に分離して装着しておき、どちらかの軸心に他方の軸心挿入部を差し込んで扉を枠体に吊り込む構成とする。
【００１１】
枠側ピボットヒンジは縦枠内面に固定するための取り付け面と水平プレート面と軸心を主部材とし、軸心は水平プレート面から垂直に起立した状態にしておく。そして扉側ピボットヒンジは扉側ベース部材と前後移動ケースと扉側羽根と連動部材を主部材とし、扉側ベース部材と前後移動ケースに複数のガイド部を設けておき、扉側ベース部材の上部区画に前後調整ねじ挿入孔を有した２個の平行な面からなる外コの字部分を設け、前後移動ケースの上部区画に雌ねじ部を有する前後方向に対して垂直な面を形成しておく。
【００１２】
次に、扉側ベース部材の外コの字部分内に前後移動ケースの雌ねじ部を挿入した状態で、扉側ベース部材対して前後移動ケースを前後方向にのみガタツキ無く移動可能に配置する。その結果上記の外コの字部分の２個の平行な面と雌ねじ部を有する面は全て前後方向を向いた構成になる。そして前後調整ねじを雌ねじ部に螺合させた状態で外コの字部分に空転するように装着する。すると前後調整ねじの頭部は正面向きに配置され、前後調整ねじを回転させることで扉側ベース部材に対して前後移動ケースを前後方向に移動させることができる。
【００１３】
また前後移動ケースの中央区画に左右調整ねじ挿入孔を有した２個の平行な面からなる外コの字部分を形成しておき、下部区画には扉側羽根をガタツキ無く左右方向にのみ案内可能とする複数のガイド部を設けておく。そして手前側に管巻き形状の軸心挿入部を有し、奥側に前後移動ケースのガイド部に嵌まり込むための上下左右の面状のガイド部を備えた扉側羽根を設けておく。そして傾斜係合突起と雌ねじ部を有した面を備えた連動部材を設け、扉側羽根の奥側上面に連動部材の傾斜係合突起と係合する傾斜長孔を形成しておく。
【００１４】
次に扉側羽根の上に連動部材を配置し、連動部材の傾斜係合突起を扉側羽根の傾斜長孔に係合させた状態で、扉側羽根と連動部材を前後移動ケースに挿入する。このとき前後移動ケースの下部区画のガイド部に扉側羽根は案内され、前後移動ケースに対して扉側羽根は左右方向にのみ移動可能な状態になっており、かつ同時に連動部材を前後移動ケース中央区画の外コの字部分内に挿入する。その結果前後移動ケースの外コの字部分の２個の平行な面と連動部材の雌ねじ部を有する面は全て前後方向を向いた配置になる。
【００１５】
そして左右調整ねじを連動部材の雌ねじ部に螺合させた状態で、前後移動ケースの外コの字部分に頭部が正面向きでガタツキ無しに空転するように装着する。すると左右調整ねじの回転操作により連動部材は前後移動し、さらには連動部材の傾斜係合突起と扉側羽根の傾斜長孔により前後移動ケースに対する扉側羽根及び軸心挿入部の左右移動に変換することができる。
【００１６】
その結果扉側ピボットヒンジは上下方向に上から、前後調整ねじと前後調整機構を有する上部区画と、その下に位置する左右調整ねじと左右調整機構を有する中央区画と、さらにその下に位置する軸心挿入部との３ブロックに区切って構成されることになり、前後調整と左右調整の操作面である調整ねじの頭部は共に上下に並んだ状態で正面向きに配置されることになる。また、この上下の順序は下部ピボットヒンジでの配置であり、上部ピボットヒンジにおいては扉側ピボットヒンジの構成は上下逆の順になる。しかしどちらにおいても扉側ピボットヒンジは縦方向に細長い形態が可能になり、化粧カバーも軸心挿入部を被覆する程度のスリムなデザインにて実施できる。また軸心と軸心挿入部の配置は逆の、枠側ピボットヒンジに軸心挿入孔を設け、扉側ピボットヒンジの扉側羽根の前部に軸心を設けておく構成であってもよい。さらに軸心挿入部の上部位置に雌ねじ部を設けておき、操作面である頭部を上向きにして上下調整ねじを螺合しておくことで施工後に上下調整も可能になる。
【００１７】
また左右方向の建付け調整に関しては、左右調整ねじの頭部を正面向きに配置する限り、必ず連動部材の前後運動を扉側羽根の左右移動に方向変換する必要が生じる。この方向変換の手段は特に限定されるものではないが、上記のように連動部材に傾斜係合突起を扉側羽根に傾斜長孔を設けて互いが所定動作範囲においては分離すること無いように嵌め合わせ、左右調整ねじの回転操作による連動部材の傾斜係合突起の前後移動により扉側羽根の傾斜長孔を斜め方向に押し引きすることで、前後移動ケースのガイド部に沿って扉側羽根を左右方向に平行移動させる構成が簡単である。
【００１８】
また別の手段としては、前後移動ケースの下部区画に支点を設け、支点に対して扉側羽根が前後移動ケース内で左右方向にスイング動作可能なように構成する。そして扉側羽根の支点から一定距離離れた位置に係合突起部を形成し、左右調整ねじに螺合された連動部材の傾斜係合突起を扉側羽根の傾斜長孔に係合させ、左右調整ねじの回転操作による連動部材の傾斜係合突起の前後移動により、扉側羽根の傾斜長孔を押し引きし、その結果支点に対してのスイング動作を得ることで扉側羽根の軸心挿入部若しくは軸心を左右方向に移動させる構成等も適している。
【００１９】
またピボットヒンジ全体での別の構成としては、枠側ピボットヒンジは水平プレート面に軸心を起立させた状態で前述と同様に構成し、扉側ピボットヒンジを前述での縦長の構成を横に倒したような、戸先側区画と中央区画と吊元側区画の３ブロックとして横方向に並べた構成も可能である。つまり扉側ピボットヒンジを、横長で略箱形状の扉側ベース部材に同様に横長なコの字形状の左右移動ケースと連動部材を両者が係合した状態で組み付け、連動部材の前後移動動作により左右移動ケースは扉側ベース部材に対して左右方向にのみ移動可能に規制して装着しておく。そして左右移動ケースに扉側プレートを前後方向にのみ移動可能に規制して装着する。次に扉側ピボットヒンジの戸先側区画に扉側ベース部材に設けた左右調整ねじによる連動部材を介した左右移動ケースの左右調整機構を、中央区画に左右移動ケースに設けた前後調整ねじによる扉側プレートの前後調整機構を、吊元側区画に扉側プレートの手前側に形成した軸心挿入部を配置する。すると前後調整ねじの操作面である頭部と左右調整ねじの操作面である頭部と軸心挿入部が横方向に並んで形成され、横方向に細長い構成の扉側ピボットヒンジが可能になる。
【発明の効果】
【００２０】
扉側ピボットヒンジをそれぞれ上下方向に上部区画と中央区画と下部区画からなる３ブロックか若しくは横方向に戸先側区画と中央区画と吊元側区画からなる３ブロックに分けて形成し、扉を吊り込んだ後の閉鎖状態において、ピボットヒンジの軸心と軸心挿入部の上方向に並んだ状態で左右調整ねじと前後調整ねじの頭部が正面向きに配置されるか、若しくはピボットヒンジの軸心と軸心挿入部の横方向に並んだ状態で左右調整ねじと前後調整ねじの頭部が正面向きに配置されるように構成したことにより、扉を閉じた状態での正面側からの前後方向と左右方向の別々での建付け調整が可能になる。
【００２１】
軸心挿入部の上方位置に調整ねじの頭部を配置したことでさらにピボットヒンジ全体の幅を小さくすることが可能になり、縦方向に細長い形状が得られ、その結果化粧カバーも全体としてもスリムでよく、デザイン性を向上させることができる。また軸心挿入部の横位置に調整ねじの頭部を配置したことでさらにピボットヒンジ全体の高さを小さくすることが可能になり、横方向に細長い形状が得られ、その結果化粧カバーも全体としても平たくてよく、同様にデザイン性を向上させることができる。
【００２２】
連動部材の雌ねじ部を、一定間隔離れた２枚の面に2箇所同時にねじ切りし、外コの字部分に空転させた状態で調整ねじの雄ねじ部を２箇所の雌ねじ部に螺合する構成にすることにより、外コの字部分に対する連動部材のガタツキを小さくすることができる。その結果調整ねじの回転操作により扉側ベース部材と前後移動ケースと扉側羽根の位置を相対的に移動させたときの、扉側ベース部材に対する前後移動ケースや前後移動ケースに対する扉側羽根の建付け調整後のぐらつきを少なくすることが可能になる。
【００２３】
連動部材の傾斜係合突起を複数箇所設けて極力距離を離して形成し、扉側羽根の傾斜長孔も同様に距離を離して同数形成して両者を係合させ、左右調整ねじの回転操作による連動部材の傾斜係合突起の前後移動により扉側羽根の複数箇所の傾斜長孔を同時に押し引きすることでより安定したぐらつきの無い平行移動動作を得ることができる。
【００２４】
水平プレート面を有する枠側ピボットヒンジは単部品での構成であり、扉側ピボットヒンジも扉側ベース部材と前後移動ケースと扉側羽根と連動部材のみの少ない部品点数で構成できるため、全体として安価に製造可能である。
【発明を実施するための最良の形態】
【００２５】
以下図面に基づいて本発明の建付け調整機構付きピボットヒンジに関する実施の形態を説明する。まず通常の室内ドアでは上下に２個のピボットヒンジを装着するのであるが、本発明の前後左右の建付け調整機構に関しては上下のピボットヒンジにおいてはほぼ同じ構成であるため下部のピボットヒンジにて説明する。図１は本発明の建付け調整機構付きピボットヒンジをドアに装着し、扉２８が閉鎖している状態の納まり上面図であり、図２は扉２８を１８０度開放した状態の納まり平面図であり、両者ともドアの吊元側のピボットヒンジ装着付近のみを表示している。ここで図１に示すように、ピボットヒンジの軸心４が持ち出されている側を手前側とし、扉２８の手前面を正面と表記する。そして戸当たり側を奥側とする。また建付け調整の方向としては、手前から奥またはその逆への移動を前後調整とし、前後方向に対して直角の横方向の移動を左右調整とする。また吊り込み作業においては従来のピボットヒンジと同様で、枠側ピボットヒンジｂに軸心４を突出させた状態で配置し、扉側ピボットヒンジａに管巻き形状の軸心挿入部１８を設け、両者を扉２８と枠体２９にあらかじめ装着しておいて、軸心４に軸心挿入部１８を差し込むことで吊り込みを実施する構成である。
【００２６】
また本発明の建付け調整機構付きピボットヒンジは、図２に示すように前後方向と左右方向の建付け調整機構は全て扉側ピボットヒンジａに配置されており、上下方向に上部区画Aと中央区画Bと下部区画Cの３ブロックに区切って構成しておく。そして上部区画Aに扉側ベース部材５に対して前後移動ケース６を前後方向に移動調整させるための機構を設け、その操作面を扉２８の正面側に設けておく。次に前後移動ケース６に対して扉側羽根７を左右方向に移動調整させるための機構を中央区画Bに設け、その操作面を同様に正面側に形成し、さらに下部区画Cに扉側羽根７とその前部に形成された軸心挿入部１８を配置しておく。
【００２７】
図３はピボットヒンジ全体の分解斜視図であり、枠側ピボットヒンジｂは取り付け孔３を有した取り付け面２と水平プレート面１とからなり、水平プレート面１に起立した状態で軸心４を装着しておく。扉側ピボットヒンジａは扉側ベース部材５と前後移動ケース６と扉側羽根７と連動部材８を主部材とする。扉側ベース部材５は略コの字形状で最上部と最下部に取り付け孔３を備えたつば形状の取り付け面２を配置しておく。そして図２にも示すように、略コの字形状部分の上部区画Aに２個の平行な面からなる外コの字部分９を形成し、その面に前後調整ねじ挿入孔１０を設けておく。
【００２８】
前後移動ケース６は略箱型で上部区画Aに２個の平行な面を有する内コの字部分１１を形成し、その面に雌ねじ部１２を設けておく。そして前後移動ケース６を扉側ベース部材５に嵌め込んだ状態で前後方向にのみ移動可能なように双方に複数の案内用のガイド部１３を設けておく。そして前後調整ねじ１４を前後移動ケース６の内コの字部分１１の雌ねじ部１２に螺合した状態で、頭部が正面向でかつガタツキ無しに空転するように扉側ベース部材５の外コの字部分９に装着する。次に前後移動ケース６の中央区画Bに２個の平行な面からなる外コの字部分９を設け、その面に左右調整ねじ挿入孔１５を設けておく。そして下部区画Cに扉側羽根７が左右方向にのみガタツキ無く移動可能なように複数のガイド部１３を設けておく。
【００２９】
次に図３及び図４に示すように、傾斜係合突起１７を備えた傾斜面１６と２個の平行な面を有する内コの字部分１１を備えた連動部材８を設け、内コの字部分１１の面に雌ねじ部１２を配置しておく。また扉側羽根７は図３にも示すように手前側に管巻き形状の軸心挿入部１８を設け、奥側に前後移動ケース６の下部区画Cのガイド部１３間に嵌まり込むための面形状のガイド部１３を上下左右に複数箇所設けておく。さらに図５は扉側羽根７の上面図であり、扉側羽根７の上面に連動部材８の傾斜係合突起１７と係合するための傾斜長孔１９を形成しておく。そして図２や図３に示すように連動部材８の傾斜係合突起１７を扉側羽根７の傾斜長孔１９に係合させた状態で、連動部材８と扉側羽根７を同時に前後移動ケース６に挿入する。このとき扉側羽根７のガイド部１３が扉側ベース部材５のガイド部１３に案内されるように形成し、互いのガイド部１３間の距離を左右方向にのみガタツキ無く移動できる程度に設定しておくことで、前後移動ケース６に対して扉側羽根７は左右方向にのみ移動可能となる。そして左右調整ねじ２０を連動部材８の雌ねじ部１２に螺合させた状態で、かつ頭部が正面向きで、前後移動ケース６の外コの字部分９にガタツキ無しに空転するように組み付ける。すると扉側ピボットヒンジａは図２に示すように上下方向に３ブロックに分割された状態で、下部区画Cに軸心挿入部１８が、中央区画Bに左右調整機構が、上部区画Aに前後調整機構が配置されたことになる。
【００３０】
図６は前後調整の軌跡を示す平面図であり、前後調整ねじ１４を回す操作により図６(b)の基準位置に対して図６(a)や図６(c)の位置に、軸心挿入部１８を有する扉側羽根７と連動部材８と前後移動ケース６を同時に前後方向に移動調整することができる。また図７は左右調整の軌跡を示す平面図であり、左右調整ねじ２０を回す操作により連動部材８が前後方向に移動し、扉側羽根７の傾斜長孔１９に嵌め込まれている傾斜係合突起１７が斜め方向に扉側羽根７を押す動作になる。しかし扉側羽根７は前後移動ケース６に対して左右方向にのみ移動可能に規制されているため、傾斜係合突起１７が傾斜長孔１９内をずれながら扉側羽根７を左右方向に移動させる動作が得られる。その結果左右調整ねじ２０の回転操作により図７(b)の基準位置に対して図７(a)や図７(c)に示すように扉側羽根７及び軸心挿入部１８を左右方向に平行移動させることができる。また連動部材８の雌ねじ部１２を内コの字部分１１の２箇所の面に設けているのはガタツキを小さくするためであり、両雌ねじ部１２間の距離は大きいほどよい。さらには２箇所の面に設けている雌ねじ部１２は同時にねじ切りを施しておく必要がある。
【００３１】
ここで左右調整に関しては、扉側羽根７は前後移動ケース６に対して左右方向にのみ移動可能に適正に案内されているのであるが、やはり移動のための最低限の隙間（クリアランス）は必要である。また連動部材８と扉側羽根７との接点は傾斜係合突起１７と傾斜長孔１９のみであり、両者が１箇所ずつであれば点で押し込むような動作になり、ギクシャクとした移動動作になることが懸念される。そこで図４と図５に示すように、連動部材８に平行に２箇所の傾斜係合突起１７を形成し、扉側羽根７にも２箇所の傾斜長孔１９を設けて互いに嵌め合わせた構成にするとよい。これは連動部材８の前後移動動作を扉側羽根７の左右移動に変換する際に、扉側羽根７の幅方向の極力離れた2箇所の位置を同時に押し引きするためのものであり、両傾斜係合突起１７間の距離は広いほど条件はよく、その結果より安定したぐらつきの無い扉側羽根７の平行移動動作を得ることができる。
【００３２】
また上記のような左右方向の建付け調整に関しては、左右調整ねじ２０の頭部を正面向きに配置する限りは、必ず連動部材８の前後運動を扉側羽根７の軸心挿入部１８の左右運動に方向変換する必要が生じる。この方向変換の手段は特に限定されるものではなく、上記の構成の発展形としては図８に示すように、連動部材８と扉側羽根７にブロック形状でより広い傾斜面１６を有した部材を設け、所定動作範囲においては分離すること無いように互いの傾斜面１６に凹凸を設けて嵌め合わせておき、どちらか片方に雌ねじ部１２を設けておき、左右調整ねじ２０の回転操作による連動部材８の前後移動により連動部材８の傾斜面１６が扉側羽根７の傾斜面１６を斜め方向に押し引きし、ガイド部１３に規制されることで扉側羽根７が左右方向に平行移動する構成であってもよい。
【００３３】
また別の左右方向の建付け調整機構としては、図９(a)に示すように前後移動ケース６の下部区画Cに支点２１を設け、支点２１に対して扉側羽根７が前後方向に動くことは無く、かつ前後移動ケース６内で左右方向にのみスイング動作可能なように構成する。そして扉側羽根７の支点２１から一定距離離れた奥位置に係合突起部２２を形成し、左右調整ねじ２０に螺合された連動部材８に傾斜長孔１９を設けて扉側羽根７の係合突起部２２と係合させておく。すると左右調整ねじ２０の回転操作による連動部材８の傾斜長孔１９の前後移動により係合突起部２２が押し引きされて、その結果図９(b)に示すように支点２１に対してのスイング動作を得ることになり、扉側羽根７の軸心挿入部１８を左右方向に移動させることができる。また図示はしないが、連動部材８をウォームギアのような歯車を含む構成にて形成し、さらに別途の歯車を直角に噛み合わせて移動方向を変更するような構成を用いてもよい。
【００３４】
ここで、扉側ピボットヒンジａの調整機構部分は図１や図２に示すように扉２８の厚み部分に掘り込んだ状態で装着され、扉側羽根７の前側の管巻き部からなる軸心挿入部１８のみが扉２８の正面から持ち出された配置になっている。つまり比較的スペースが必要な左右調整機構部分と前後調整機構部分を扉２８内に掘り込んだ状態で上下にずらせて配置した点が効果的である。また化粧カバー２３を取り付けていない閉鎖状態の正面図である図１０に示すように、上からほぼ一直線に前後調整ねじ１４の操作面を備えた上部区画A、左右調整ねじ２０の操作面を備えた中央区画B、そして扉側羽根７の軸心挿入部１８からなる下部区画Cの順に比較的細い範囲に並んだ状態になっている。その結果扉２８を閉じた状態での正面からの前後と左右の建付け調整が別々に可能であると共に、扉２８の正面側に露出している部分全体の幅を非常に細長くすることが可能である。したがって化粧カバー２３を取り付けた状態の正面図である図１１に示すように、化粧カバー２３は軸心挿入部１８の管巻き部と、その上部の左右調整ねじ２０と前後調整ねじ１４の操作面である頭部をかろうじて被覆する程度でよい。
【００３５】
また図１に示すように、扉側羽根７の管巻き部からなる軸心挿入部１８のみが扉２８の正面から持ち出された配置になっているため、軸心挿入部１８を持ち出す距離も小さくてよく、化粧カバー２３の奥行き寸法をも小さくすることができ、さらにデザイン性に優れた建付け調整機構付きピボットヒンジを提供することができる。またこの扉側ピボットヒンジａの軸心挿入部１８の持ち出しの距離を小さくすることは、すなわち枠側ピボットヒンジｂの軸心４までの距離も同時に小さくできることになり、もっとも強度が必要とされる水平プレート面１の設定においても非常に効果があると考えられる。
【００３６】
ここでさらに扉側ピボットヒンジａをコンパクトな構成にすることを想定した場合、図１０に示すように下部区画Cの軸心挿入部１８の上下方向が長く感じられ、この点において更なる改良の余地があると考えられる。これは軸心挿入部１８を丁番のような管巻き形状にて設定したため、強度面において一定以上の高さを必要とすることになったためである。また別の理由としては、この管巻き形状は当然ピボットヒンジとして必要な上下調整の実施において有効であり、図２や図３に示すように軸心挿入部１８上部の管巻き部の内面に雌ねじ部１２を設けて上下調整ねじ２４を螺合しておき、上下調整ねじ２４を回す操作により軸心４の先端を押し込んで扉２８を持ち上げる動作により実施する構成が簡単であることが挙げられる。
【００３７】
そこで図１２に示すように、扉側羽根７の前側を上下２箇所の水平面２５を備えたコの字形状に曲げ込んで形成し、その水平面２５に軸心挿入部１８を設ける構成であれば下部区画Cの高さを減少させることが可能と考えられる。この場合は上下調整ねじ２４を上側の水平面２５に配置して、下側の水平面２５に設けた軸心挿入部１８に軸心４を差し込んで両者を当接させるようにしておくとよい。また上下調整にこだわらないのであれば、さらに様々な構成が可能であり、図示はしないが扉側羽根７の前側をコの字形状では無く、L型で１個の水平面２５のみを有しその面に軸心挿入部１８を設ける構成でもよく、よりコンパクトな構成も可能である。
【００３８】
つまり上記のような上下方向の各配置による全体としてのコンパクトな形状を実現することがデザイン面において重要であり、例えばどちらかの調整ねじが横方向にずれてしまうような配置では満足とはいえない。また図２では上下の区画の分かれ目を直線にて表現しているが、分割する位置自体はそれほど厳密なものでなくてもよく、図１０に示すような正面から見た状態での軸心４と軸心挿入部１８とその上方の左右調整ねじ２０と前後調整ねじ１４の頭部である操作部分の位置構成ができれば各区画の分割位置や手段はどのようなものであってもよい。さらには実施形態では前後調整機構と左右調整機構を扉側ピボットヒンジａに配置したが、枠体２９への深めの掘り込みが可能であれば逆に配置する構成であってもよい。
【００３９】
以上では前後調整機構部分と左右調整機構部分と軸心挿入部１８とからなる３ブロックの区画を上下方向に配列した構成にて説明したが、ピボットヒンジの場合では扉２８の吊元側の上下面端部に横方向に３ブロックを並べる構成も可能であり、別の実施形態として以下に説明する。図１３は別の実施形態でのピボットヒンジ全体の分解斜視図であり、図１４は扉２８の閉鎖状態での、化粧カバー２３を取り付けていない状態の納まり正面図である。全体としては前述での扉側ピボットヒンジａを横に倒したような位置関係になり、枠側ピボットヒンジｂは前述の構成と同様であり、扉側ピボットヒンジａのみを横長にして戸先方向から戸先側区画Dと中央区画Eと吊元側区画Fの３ブロックに分けて構成している。
【００４０】
別の実施形態での扉側ピボットヒンジａは、図１３に示すように扉側ベース部材５と左右移動ケース２６と扉側プレート２７と連動部材８を主部材としている。扉側ベース部材５は横長の略箱型形状で最左端と最右端に取り付け孔３を備えたつば形状の取り付け面２を配置しておく。そして戸先側区画Dに２個の平行な面からなる外コの字部分９を形成し、その面に左右調整ねじ挿入孔１５を設けておき、中央区画Eには左右移動ケース２６を扉側ベース部材５に嵌め込んだ状態で左右方向にのみ移動可能なように複数の案内用のガイド部１３を設けておく。また連動部材８は前述の構成と同様であり、傾斜係合突起１７を備えた傾斜面１６と２個の平行な面を有する内コの字部分１１を備え、内コの字部分１１の面に雌ねじ部１２を配置しておく。
【００４１】
次に左右移動ケース２６は略コの字形状で戸先側区画Dに連動部材８の傾斜係合突起１７と係合するための傾斜長孔１９を形成しておく。そして中央区画Eに２個の平行な面からなる外コの字部分９を設け、その面に前後調整ねじ挿入孔１０を設けておく。そして吊元側区画Fに扉側プレート２７が左右移動ケース２６に対して前後方向にのみガタツキ無く移動可能なように複数のガイド部１３を設けておく。また扉側プレート２７は中央区画Eに２個の平行な面を有する内コの字部分１１を形成してその面に雌ねじ部１２を設け、吊元側区画Fに、軸心挿入部１８を設けたプレート形状の水平面２５を手前側に、左右移動ケースの吊元側区画Fに嵌まり込むためのガイド部１３を奥側に設けておく。
【００４２】
次に図１３に示すように、連動部材８の傾斜係合突起１７を左右移動ケース２６の傾斜長孔１９に係合させた状態で、連動部材８と左右移動ケース２６を同時に扉側ベース部材５に挿入する。そして左右調整ねじ２０を連動部材８の雌ねじ部１２に螺合させた状態で、かつ頭部が正面向きで、扉側ベース部材５の外コの字部分９にガタツキ無しに空転するように組み付ける。そして扉側プレート２７の雌ねじ部１２に前後調整ねじ１４を螺合した状態で、頭部が正面向でかつガタツキ無しに空転するように左右移動ケース２６の外コの字部分９に装着する。すると扉側ピボットヒンジａは図１４に示すように横方向に３ブロックに分割された状態で、吊元側区画Fに軸心挿入部が、中央区画Eに前後調整機構が、戸先側区画Dに左右調整機構が配置されることになる。
【００４３】
つまり建付け調整における調整機構自体は前述の構成とほぼ同じであり、前述での扉側羽根７を、軸心挿入部１８を有した扉側プレート２７として形成し、前述での扉側ベース部材５に対して前後移動ケース６を前後に移動させ、前後移動ケース６に対して扉側羽根７を左右に移動させた手順に対して、別の実施形態では扉側ベース部材５に対して左右移動ケース２６を左右に移動させ、左右移動ケース２６に対して扉側プレート２７を前後に移動させるように構成している。この手順に関しては特に限定されるものではないが、各々の部品間で移動の際のぐらつきを低減させるために、案内のためのガイド部１３の距離をより長く確保できることが望ましく、その点において手順を選択するとよい。
【００４４】
したがって別の実施形態においても扉２８を閉じた状態での正面からの前後と左右の建付け調整が別々に可能であると共に、扉側ピボットヒンジａの調整機構部分は図１４に示すように扉２８の厚み部分に掘り込んだ状態で装着され、扉側プレート２７の前側の軸心挿入部１８のみが扉２８の正面から持ち出された配置になっている。したがって化粧カバー２３は図１３に示すように軸心挿入部１８と、その横方向に位置する前後調整ねじ１４と左右調整ねじ２０の操作面である頭部を被覆する程度でよく、非常に高さが低く、奥行き寸法も小さいさらにデザイン性に優れた建付け調整機構付きピボットヒンジを提供することができる。
【００４５】
また別の実施形態においても前述の実施形態と同様に、左右調整のための移動方向変換機構等の発展形を用いてもよく、特に限定されるものではない。また横方向の区画を分割する位置自体はそれほど厳密なものでなくてもよく、正面から見た状態での軸心挿入部１８とその横位置の左右調整ねじ２０と前後調整ねじ１４の頭部である操作部分の位置構成がデザイン性において最適とされるならばどのようなものであってもよく、したがって化粧カバー２３の形状も任意である。
【図面の簡単な説明】
【００４６】
【図１】本発明の調整機構付きピボットヒンジの納まり上面図である。
【図２】本発明の調整機構付きピボットヒンジの、扉を１８０度開放した状態の平面図である。
【図３】本発明の調整機構付きピボットヒンジの分解斜視図である。
【図４】本発明の調整機構付きピボットヒンジの、連動部材の平面図である。
【図５】本発明の調整機構付きピボットヒンジの、扉側羽根の上面図である。
【図６】本発明の調整機構付きピボットヒンジの、前後調整の軌跡図である。
【図７】本発明の調整機構付きピボットヒンジの、左右調整の軌跡図である。
【図８】本発明の調整機構付きピボットヒンジの、左右調整機構に別の傾斜面を有した連動部材を用いた構成の上面図である。
【図９】本発明の調整機構付きピボットヒンジの、左右調整機構に扉側羽根のスイング動作を用いた構成の上面軌跡図である。
【図１０】本発明の調整機構付きピボットヒンジを装着し、扉を閉鎖した状態の正面図である。
【図１１】本発明の調整機構付きピボットヒンジを装着し、扉を閉鎖して化粧カバーを取り付けた状態の正面図である。
【図１２】本発明の調整機構付きピボットヒンジの、別の形状の扉側羽根の斜視図である。
【図１３】本発明の調整機構付きピボットヒンジの、別の実施形態の分解斜視図である。
【図１４】本発明の別の実施形態の調整機構付きピボットヒンジを装着し、扉を閉鎖した状態の正面図である。
【符号の説明】
【００４７】
A      扉側ピボットヒンジ上部区画
B      扉側ピボットヒンジ中央区画
C      扉側ピボットヒンジ下部区画
D      扉側ピボットヒンジ戸先側区画
E      扉側ピボットヒンジ中央区画
F      扉側ピボットヒンジ吊元側区画
ａ      扉側ピボットヒンジ
ｂ      枠側ピボットヒンジ
１      水平プレート面
２      取り付け面
３      取り付け孔
４      軸心
５      扉側ベース部材
６      前後移動ケース
７      扉側羽根
８      連動部材
９      外コの字部分
１０    前後調整ねじ挿入孔
１１    内コの字部分
１２    雌ねじ部
１３    ガイド部
１４    前後調整ねじ
１５    左右調整ねじ挿入孔
１６    傾斜面
１７    傾斜係合突起
１８    軸心挿入部
１９    傾斜長孔
２０    左右調整ねじ
２１    支点
２２    係合突起部
２３    化粧カバー
２４    上下調整ねじ
２５    水平面
２６    左右移動ケース
２７    扉側プレート
２８    扉
２９    枠体
【図１】
0006002371.tif 000002
【図２】
0006002371.tif 000003
【図３】
0006002371.tif 000004
【図４】
0006002371.tif 000005
【図５】
0006002371.tif 000006
【図６】
0006002371.tif 000007
【図７】
0006002371.tif 000008
【図８】
0006002371.tif 000009
【図９】
0006002371.tif 000010
【図１０】
0006002371.tif 000011
【図１１】
0006002371.tif 000012
【図１２】
0006002371.tif 000013
【図１３】
0006002371.tif 000014
【図１４】
0006002371.tif 000015